(57)【特許請求の範囲】
【請求項１】
冷水供給部(１００,２０１)と、
上記冷水供給部(１００,２０１)からの冷水が供給される熱交換端末(Ｐ１〜Ｐ８)と、
上記熱交換端末(Ｐ１〜Ｐ８)に上記冷水を供給するための流路を開閉する熱動弁(Ｖ１〜Ｖ８)と、
上記冷水供給部(１００,２０１)と上記熱動弁(Ｖ１〜Ｖ８)を制御する制御装置(１２０,２２０)と
を備え、
上記制御装置(１２０,２２０)は、上記冷水供給部(１００,２０１)からの冷水を上記熱交換端末(Ｐ１〜Ｐ８)に供給する冷房運転において少なくとも通電していなかった上記熱動弁(Ｖ１〜Ｖ８)に対して、上記冷房運転の停止後に結露防止通電を予め設定された時間行うことを特徴とする温調システム。
【請求項２】
請求項１に記載の温調システムにおいて、
上記制御装置(１２０,２２０)は、上記冷房運転において通電していた上記熱動弁(Ｖ１〜Ｖ８)に対しても、上記冷房運転の停止後に上記結露防止通電を予め設定された時間行うことを特徴とする温調システム。
【請求項３】
請求項１または２に記載の温調システムにおいて、
上記流路を介して上記熱交換端末(Ｐ１〜Ｐ８)に上記冷水を供給するためのポンプ(２０３)を備え、
上記制御装置(１２０,２２０)は、上記冷房運転の停止により上記ポンプ(２０３)を停止した後、上記冷房運転において少なくとも通電していなかった上記熱動弁(Ｖ１〜Ｖ８)に対して上記結露防止通電を行うことを特徴とする温調システム。
【請求項４】
請求項１から３までのいずれか１つに記載の温調システムにおいて、
上記制御装置(１２０,２２０)は、上記冷房運転が予め設定された運転時間継続したとき、上記冷房運転において少なくとも通電していなかった上記熱動弁(Ｖ１〜Ｖ８)に対して上記結露防止通電を行うことを特徴とする温調システム。
【請求項５】
請求項４に記載の温調システムにおいて、
上記制御装置(１２０,２２０)は、上記冷房運転が上記予め設定された運転時間継続したとき、上記冷房運転を一旦停止した状態で、上記冷房運転において少なくとも通電していなかった上記熱動弁(Ｖ１〜Ｖ８)に対して上記結露防止通電を行うことを特徴とする温調システム。
【発明の詳細な説明】
【技術分野】
【０００１】
この発明は、温調システムに関し、詳しくは、冷水を利用した冷房運転を行う温調システムに関する。
【背景技術】
【０００２】
従来、温調システムとしては、弁本体と、複数のノズルと、各ノズルに設けられた弁を操作するアクチュエータとを有する熱電動弁ヘッダを備えたものがある。この熱電動弁ヘッダは、並列に設けられた複数の熱動弁で構成されている(例えば、特開２００３−３２９２５４号公報(特許文献１)参照)。上記温調システムでは、熱電動弁ヘッダの複数のノズルに接続された暖房機器に温水を分配する。
【先行技術文献】
【特許文献】
【０００３】
【特許文献１】特開２００３−３２９２５４号公報
【発明の概要】
【発明が解決しようとする課題】
【０００４】
ところで、上記温調システムでは、熱源が給湯機の熱交換器であるため、床パネルなどの熱交換端末に冷水を供給して冷房運転を行うことはできない。
【０００５】
そこで、冷水供給部から供給される冷水を用いて冷房運転を行う温調システムが考えられている。
【０００６】
このような冷房運転を行う温調システムにおいて、冷水を熱交換端末に供給するための流路を開閉する熱動弁は、図１１に示すような構成をしている。図１１において、６００はバネ、６０１は弁体、６０２は弁杆、６０３はワックスエレメント、６０４はヒータ、６０５は弁座、６０６はポート、６０７はポート、６０８は電線である。上記弁座６０５近傍をＯリング６１１によりシールすると共に、電線６０８の引き込み口をシール部材６１２によりシールしている。
【０００７】
しかしながら、図１１に示す構成の熱動弁では、外部からＯリング６１１やシール部材６１２を介して内部に水分が侵入し、冷水の冷熱により熱動弁内のヒータ６０４や電線６０８が接続される接続電極などに結露が発生して、熱動弁が劣化したり破損したりするという問題がある。
【０００８】
そこで、この発明の課題は、冷房運転において結露による熱動弁の劣化や破損を防止できる温調システムを提供することにある。
【課題を解決するための手段】
【０００９】
上記課題を解決するため、この発明の温調システムは、
冷水供給部と、
上記冷水供給部からの冷水が供給される熱交換端末と、
上記熱交換端末に上記冷水を供給するための流路を開閉する熱動弁と、
上記冷水供給部と上記熱動弁を制御する制御装置と
を備え、
上記制御装置は、上記冷水供給部からの冷水を上記熱交換端末に供給する冷房運転において少なくとも通電していなかった上記熱動弁に対して、上記冷房運転の停止後に結露防止通電を予め設定された時間行うことを特徴とする。
【００１０】
上記構成によれば、冷水供給部からの冷水を熱交換端末に供給する冷房運転において、制御装置によって、冷房運転中に少なくとも通電していなかった熱動弁に対して結露防止通電を予め設定された時間行うことで、熱動弁のヒータにより熱動弁内を加熱して乾燥させることができ、結露による熱動弁の劣化や破損を防止できる。
【００１１】
また、一実施形態の温調システムでは、
上記制御装置は、上記冷房運転において通電していた上記熱動弁に対しても、上記冷房運転の停止後に上記結露防止通電を予め設定された時間行う。
【００１２】
上記実施形態によれば、冷水供給部から熱交換端末に冷水を供給する冷房運転の停止後、制御装置によって、冷房運転において通電していた熱動弁に対しても結露防止通電を予め設定された時間行うので、熱動弁のヒータにより熱動弁内を加熱して乾燥させることができ、全ての熱動弁の劣化や破損を確実に防止できる。
【００１３】
また、一実施形態の温調システムでは、
上記冷水供給部からの上記冷水を上記流路を介して上記熱交換端末に供給するためのポンプを備え、
上記制御装置は、上記冷房運転の停止により上記ポンプを停止した後、上記冷房運転において少なくとも通電していなかった上記熱動弁に対して上記結露防止通電を行う。
【００１４】
上記実施形態によれば、冷房運転の停止によりポンプを停止した後に熱動弁に対して結露防止通電を行うことによって、熱動弁近傍の流路を冷水が流れなくなってから熱動弁のヒータをオンするので、冷水の影響を受けることなく熱動弁内を加熱でき、熱動弁内の温度を確実に上昇させて乾燥させることができる。
【００１５】
また、一実施形態の温調システムでは、
上記制御装置は、上記冷房運転が予め設定された運転時間継続したとき、上記冷房運転において少なくとも通電していなかった上記熱動弁に対して上記結露防止通電を行う。
【００１６】
上記実施形態によれば、冷房運転が予め設定された運転時間継続したとき、制御装置によって、冷房運転において少なくとも通電していなかった熱動弁に対して結露防止通電を行うので、例えば２４時間連続で冷房運転するような場合であっても、上記運転時間毎に熱動弁のヒータにより熱動弁内を加熱することで、熱動弁内を乾燥させることが可能になる。
【００１７】
また、一実施形態の温調システムでは、
上記制御装置は、上記冷房運転が上記予め設定された運転時間継続したとき、上記冷房運転を一旦停止した状態で、上記冷房運転において少なくとも通電していなかった上記熱動弁に対して上記結露防止通電を行う。
【００１８】
上記実施形態によれば、冷房運転が予め設定された運転時間継続したとき、制御装置によって、冷房運転を一旦停止した状態で、冷房運転において少なくとも通電していなかった熱動弁に対して結露防止通電を行うので、例えば２４時間連続で冷房運転するような場合であっても、冷房運転を一旦停止するので、全ての熱動弁に冷水が流れない状態で熱動弁のヒータに通電することにより、冷水の影響を受けることなく熱動弁内を加熱でき、熱動弁内の温度を確実に上昇させて乾燥させることが可能になる。
【発明の効果】
【００１９】
以上より明らかなように、この発明によれば、冷房運転において結露による熱動弁の劣化や破損を防止できる温調システムを実現することができる。
【図面の簡単な説明】
【００２０】
【図１】図１はこの発明の第１実施形態の温調システムの概略構成図である。
【図２】図２は上記温調システムの動作を説明するためのタイミング図である。
【図３】図３は第１比較例の温調システムの動作を説明するためのタイミング図である。
【図４】図４は第２比較例の温調システムの動作を説明するためのタイミング図である。
【図５】図５は上記温調システムの変形例の概略構成図である。
【図６】図６はこの発明の第２実施形態の温調システムの動作を説明するためのタイミング図である。
【図７】図７はこの発明の第３実施形態の温調システムの動作を説明するためのタイミング図である。
【図８】図８はこの発明の第４実施形態の温調システムの動作を説明するためのタイミング図である。
【図９】図９はこの発明の第５実施形態の温調システムの動作を説明するためのタイミング図である。
【図１０】図１０はこの発明の第６実施形態の温調システムの概略構成図である。
【図１１】図１１は熱動弁の断面図である。
【発明を実施するための形態】
【００２１】
以下、この発明の温調システムを図示の実施の形態により詳細に説明する。
【００２２】
〔第１実施形態〕
図１はこの発明の第１実施形態の温調システムの概略構成図を示している。
【００２３】
〔温調システムの全体構成〕
上記温調システムは、室外機１００と、この室外機１００に接続された冷温水供給ユニット２００と、この冷温水供給ユニット２００に接続された熱交換端末の一例としての第１〜第８床冷暖房パネルＰ１〜Ｐ８とを備える。
【００２４】
〔室外機１００の構成〕
上記室外機１００は、圧縮機１０１と、四路切換弁１０２と、室外熱交換器１０３と、電動膨張弁１０４およびアキュムレータ１０５を有する。この電動膨張弁１０４の一端には、室外熱交換器１０３の一端が接続され、電動膨張弁１０４の他端には、冷温水供給ユニット２００の水熱交換器２０１の他端が接続されている。また、四路切換弁１０２の第１ポート１０２ａは、圧縮機１０１の吐出側に接続されている。また、四路切換弁１０２の第２ポート１０２ｂは、室外熱交換器１０３の他端に接続されている。また、四路切換弁１０２の第３ポート１０２ｃは、アキュムレータ１０５を介して圧縮機１０１の吸入側に接続されている。また、四路切換弁１０２の第４ポート１０２ｄは、冷温水供給ユニット２００側の水熱交換器２０１の一端に接続されている。この水熱交換器２０１には、プレート式水熱交換器を用いている。
【００２５】
上記室外機１００と冷温水供給ユニット２００の水熱交換器２０１で冷水供給部を構成している。
【００２６】
暖房運転時、四路切換弁１０２を実線の切換位置に切り換えて、第１ポート１０２ａと第４ポート１０２ｄとの間が連通すると共に、第２ポート１０２ｂと第３ポート１０２ｃとの間が連通する。
【００２７】
一方、冷房運転時、四路切換弁１０２を点線の切換位置に切り換えて、第１ポート１０２ａと第２ポート１０２ｂとの間が連通すると共に、第３ポート１０２ｃと第４ポート１０２ｄとの間が連通する。
【００２８】
また、上記室外機１００は、第１〜第４温度センサ１０６〜１０９と、室外温度センサ１１０と、第１〜第４温度センサ１０６〜１０９により検出された冷媒温度および室外温度センサ１１０により検出された室外温度を表す信号を受ける室外機用制御装置１２０とを有する。上記第１〜第４温度センサ１０６〜１０９と室外温度センサ１１０は、例えばサーミスタからなる。
【００２９】
上記第１温度センサ１０６は、電動膨張弁１０４と水熱交換器２０１との間の冷媒の温度を検出する。上記第２温度センサ１０７は、四路切換弁１０２の第４ポート１０２ｄと水熱交換器２０１との間の冷媒の温度を検出する。上記第３温度センサ１０８は、圧縮機１０１と四路切換弁１０２の第１ポート１０２ａとの間の冷媒の温度を検出する。上記第４温度センサ１０９は、室外熱交換器１０３内の冷媒の温度を検出するために、室外熱交換器１０３に取り付けられている。上記室外温度センサ１１０は、外気温度を検出するために、室外熱交換器１０３の近傍に配置されている。
【００３０】
上記室外機用制御装置１２０は、インバータ(図示せず)を介して、圧縮機１０１の運転周波数を制御する。この室外機用制御装置１２０は、水熱交換器２０１および室外熱交換器１０３の熱交換効率が最適となるように、電動膨張弁１０４の開度も制御する。
【００３１】
また、上記室外熱交換器１０３と圧縮機１０１と水熱交換器２０１および電動膨張弁１０４を環状に接続することにより冷媒回路を構成している。
【００３２】
また、図示しないが、室外熱交換器１０３の近傍には室外ファンが配置されている。この室外ファンが室外熱交換器１０３に送風を行う。
【００３３】
上記室外機用制御装置１２０によって、冷房運転時に四路切換弁１０２を点線の切換位置にして、圧縮機１０１を運転すると、圧縮機１０１から吐出した高温高圧の冷媒は、室外熱交換器１０３で凝縮した後、電動膨張弁１０４で減圧されて水熱交換器２０１で凝縮し、アキュムレータ１０５を介して圧縮機１０１の吸入側に戻る。このとき、蒸発器として機能する水熱交換器２０１で冷媒と水との熱交換が行われて、所望の温度の冷水が生成される。
【００３４】
一方、暖房運転時に四路切換弁１０２を実線の切換位置にして、圧縮機１０１を運転すると、圧縮機１０１から吐出した高温高圧の冷媒は、水熱交換器２０１で凝縮した後、電動膨張弁１０４で減圧されて室外熱交換器１０３で蒸発し、アキュムレータ１０５を介して圧縮機１０１の吸入側に戻る。このとき、凝縮器として機能する水熱交換器２０１で冷媒と水との熱交換が行われて、所望の温度の温水が生成される。
【００３５】
〔冷温水供給ユニット２００の構成〕
上記冷温水供給ユニット２００は、水熱交換器２０１と、膨張タンク２０２と、循環ポンプ２０３と、往きヘッダ２０４および戻りヘッダ２０５を有する。
【００３６】
上記水熱交換器２０１は、冷房運転時に蒸発器として機能し、暖房運転時に凝縮器として機能する。また、水熱交換器２０１には、室外機１００からの冷媒が流れる流路と、第１〜第８床冷暖房パネルＰ１〜Ｐ８からの戻り水が流れる流路とが設けられている。
【００３７】
上記膨張タンク２０２は、正負圧弁が付いており、水熱交換器２０１からの冷水(または温水)が溜まる。また、膨張タンク２０２の上部には給水口２０２ａが設けられており、給水口２０２ａから膨張タンク２０２内に水が必要時に補充される。
【００３８】
上記循環ポンプ２０３は、吸入側が膨張タンク２０２に接続されている一方、吐出側が往きヘッダ２０４に接続されている。これにより、循環ポンプ２０３は、水熱交換器２０１を通過する冷媒と熱交換した冷水(または温水)を第１〜第８床冷暖房パネルＰ１〜Ｐ８に送ることができるようになっている。
【００３９】
また、上記往きヘッダ２０４には、第１〜第８熱動弁Ｖ１〜Ｖ８の一端と、水抜き栓Ｖ９の一端とが接続されている。この第１〜第８熱動弁Ｖ１〜Ｖ８の他端には、第１〜第８床冷暖房パネルＰ１〜Ｐ８の水入口が接続されている。なお、第１〜第８熱動弁Ｖ１〜Ｖ８は、第１〜第８床冷暖房パネルＰ１〜Ｐ８に冷水(または温水)を供給するための流路を開閉する。
【００４０】
上記第１〜第８熱動弁Ｖ１〜Ｖ８は、冷水(または温水)の流れを制御する。より詳しくは、第１〜第８熱動弁Ｖ１〜Ｖ８は、冷温水供給ユニット用制御装置２２０によって制御され、第１〜第８床冷暖房パネルＰ１〜Ｐ８の冷暖房能力設定に対応する開閉動作を行う。
【００４１】
また、上記戻りヘッダ２０５には、第１〜第８床冷暖房パネルＰ１〜Ｐ８の水出口が接続されている。これにより、第１〜第８床冷暖房パネルＰ１〜Ｐ８の冷水(または温水)が、冷温水供給ユニット２００に戻り、水回路２１１を循環できるようになっている。
【００４２】
この第１実施形態では、往きヘッダ２０４に第１〜第８熱動弁Ｖ１〜Ｖ８が個別に取り付けられものや、ヘッダと複数の熱動弁とが一体化されたものでもよく、いずれの場合も、開状態の熱動弁を介して流路に流れる冷水は、他の閉状態の熱動弁に対して影響が大きい。
【００４３】
また、上記冷温水供給ユニット２００は、第１,第２水温センサ２１２,２１３と、冷媒温度センサ２１４と、冷媒圧センサ２１５と、冷温水供給ユニット用制御装置２２０とを有する。上記第１,第２水温センサ２１２,２１３と冷媒温度センサ２１４は、例えばサーミスタからなる。
【００４４】
上記第１水温センサ２１２は、膨張タンク２０２から往きヘッダ２０４へ向かって流れる冷水(または温水)の温度を検出し、この温度を表す信号を冷温水供給ユニット用制御装置２２０に送出する。
【００４５】
上記第２水温センサ２１３は、戻りヘッダ２０５から水熱交換器２０１へ向かって流れる冷水(または温水)の温度を検出し、この温度を表す信号を冷温水供給ユニット用制御装置２２０に送出する。
【００４６】
上記冷媒温度センサ２１４は、電動膨張弁１０４と水熱交換器２０１の他端とを接続する冷媒配管かつ水熱交換器２０１の近傍に配置されている。この冷媒温度センサ２１４は、電動膨張弁１０４と水熱交換器２０１の間の冷媒の温度を検出し、この温度を表す信号を冷温水供給ユニット用制御装置２２０に送出する。
【００４７】
上記冷媒圧センサ２１５は、四路切換弁１０２と水熱交換器２０１の一端とを接続する冷媒配管かつ水熱交換器２０１の近傍に配置されている。また、冷媒圧センサ２１５は、四路切換弁１０２の第４ポート１０２ｄと水熱交換器２０１との間の冷媒の圧力を検出し、この圧力を表す信号を冷温水供給ユニット用制御装置２２０に送出する。
【００４８】
上記冷温水供給ユニット用制御装置２２０は、リモートコントローラ(図示せず)から、第１〜第８床冷暖房パネルＰ１〜Ｐ８の冷暖房能力設定を表す信号を受信する。また、冷温水供給ユニット用制御装置２２０は、リモートコントローラからの信号などに基づいて、循環ポンプ２０３および第１〜第８熱動弁Ｖ１〜Ｖ８などを制御する。
【００４９】
また、上記冷温水供給ユニット用制御装置２２０は、図示しない信号線を介して室外機用制御装置１２０に接続されており、室外機用制御装置１２０と冷温水供給ユニット用制御装置２２０は、互いに協調動作する。上記冷温水供給ユニット用制御装置２２０は、冷水供給部(室外機１００と水熱交換器２０１)と第１〜第８熱動弁Ｖ１〜Ｖ８を制御するものであり、この発明の制御装置の一例である。
【００５０】
なお、室外機用制御装置１２０と冷温水供給ユニット用制御装置２２０の間の通信は、有線で行ってもよいし、無線で行ってもよい。
【００５１】
〔第１〜第８床冷暖房パネルＰ１〜Ｐ８の構成〕
上記第１〜第８床冷暖房パネルＰ１〜Ｐ８は、第１〜第８熱動弁Ｖ１〜Ｖ８を介して、冷水(または温水)の供給を受けて、温調ゾーンの冷暖房を行う。より詳しくは、第１〜第８床冷暖房パネルＰ１〜Ｐ８は、蛇行形状に形成された第１〜第８水循環パイプ３０１〜３０８を有する。この第１〜第８水循環パイプ３０１〜３０８内には、水熱交換器２０１からの冷水(または温水)が流れる。また、第１〜第８水循環パイプ３０１〜３０８の上流側の端部が、第１〜第８床冷暖房パネルＰ１〜Ｐ８の水入口を形成する。また、第１〜第８水循環パイプ３０１〜３０８の下流側の端部が、第１〜第８床冷暖房パネルＰ１〜Ｐ８の水出口を形成する。
【００５２】
ここで、上記温調ゾーンとは、第１〜第８水循環パイプ３０１〜３０８から冷熱または温熱が供給される空間を指す。
【００５３】
また、上記冷温水供給ユニット用制御装置２２０は、マイクロコンピュータおよび入出力回路などからなる。この冷温水供給ユニット用制御装置２２０は、図１に示すように、第１〜第８床冷暖房パネルＰ１〜Ｐ８に供給される冷水または温水の温度を制御する水温制御部２２０ａと、第１〜第８熱動弁Ｖ１〜Ｖ８の開閉を制御する熱動弁制御部２２０ｂと、循環ポンプ２０３を制御する循環ポンプ制御部２２０ｃを備える。
【００５４】
この水温制御部２２０ａと熱動弁制御部２２０ｂおよび循環ポンプ制御部２２０ｃは、ソフトウェアで構成されている。
【００５５】
図２は上記温調システムの動作を説明するためのタイミング図を示し、図３は第１比較例の温調システムの動作を説明するためのタイミング図を示し、図４は第２比較例の温調システムの動作を説明するためのタイミング図を示している。この図２〜図４では、説明を簡単にするため、熱動弁Ｖ１,Ｖ２は冷房運転する系統とし、熱動弁Ｖ３は冷房運転しない系統とし、他の熱動弁Ｖ４〜Ｖ８については省略している。
【００５６】
図２に示すように、冷房運転において、運転信号がオンすると、冷房運転する系統の熱動弁Ｖ１,Ｖ２がオンし、熱動弁Ｖ３はオフ状態のままとする。
【００５７】
次に、運転信号のオンから所定時間Ｔ１(この実施形態では１分〜２分)後に、室外機用制御装置１２０により圧縮機１０１(図１に示す)をオンすると共に、循環ポンプ制御部２２０ｃにより循環ポンプ２０３(図１に示す)をオンする。ここで、圧縮機１０１と循環ポンプ２０３を所定時間Ｔ１遅らせるのは、熱動弁Ｖ１,Ｖ２が開状態になるまでの遅れを補正するためのものである。
【００５８】
次に、冷房運転を停止して運転信号をオフすると、室外機用制御装置１２０により圧縮機１０１と循環ポンプ２０３をオフすると共に、熱動弁Ｖ１,Ｖ２をオフする。
【００５９】
そして、圧縮機１０１と循環ポンプ２０３のオフ時点から、冷房運転しない系統の熱動弁Ｖ３を所定時間Ｔ２(この実施形態では５分〜１０分)オン状態とする。
【００６０】
上記構成の温調システムによれば、冷温水供給ユニット２００の水熱交換器２０１で生成された冷水を第１〜第８床冷暖房パネルＰ１〜Ｐ８(熱交換端末)に供給する冷房運転において、熱動弁制御部２２０ｂによって、冷房運転中に通電していなかった熱動弁Ｖ３に対して所定時間Ｔ２通電する結露防止通電を行うことで、熱動弁Ｖ３のヒータ(図示せず)により熱動弁Ｖ３内を加熱して乾燥させることができ、結露による熱動弁Ｖ３の劣化や破損を防止することができる。
【００６１】
なお、上記第１実施形態では、圧縮機１０１と循環ポンプ２０３のオフ時点からすぐに熱動弁Ｖ３に対して結露防止通電したが、冷房運転停止後の循環ポンプ２０３のオフから時間間隔をあけて結露防止通電を行ってもよい。
【００６２】
このような第１実施形態の温調システムに対して、図３に示すように、冷房運転において通電しなかった熱動弁Ｖ３に対して冷房運転の停止後の結露防止通電をしていない第１比較例では、冷房運転しない系統の熱動弁Ｖ３は、隣接する熱動弁Ｖ１,Ｖ２を流れる冷水の冷熱により冷却されて熱動弁Ｖ３の温度が低下して結露が発生して、熱動弁Ｖ３が劣化したり破損したりする。この第１比較例は、本発明ではない。
【００６３】
また、図４に示すように、冷房運転において通電しなかった熱動弁Ｖ３に対して冷房運転の停止後の結露防止通電をしていない第２比較例(循環ポンプ２０３と熱動弁Ｖ１,Ｖ２のオフを遅延時間Ｔ３遅らせる例)では、冷房運転しない系統の熱動弁Ｖ３は、隣接する熱動弁Ｖ１,Ｖ２を流れる冷水の冷熱により冷却されて熱動弁Ｖ３の温度が低下して結露が発生して、熱動弁Ｖ３が劣化したり破損したりする。この第２比較例は、本発明ではない。
【００６４】
なお、上記第１実施形態では、冷房運転しない系統とした熱動弁Ｖ３は、冷房運転において通電していなかった熱動弁に床冷暖房パネルなどの熱交換端末が接続されていないものでもよい。
【００６５】
例えば、図５に示すように、第８床冷暖房パネルＰ８が冷温水供給ユニット２００に接続されていない温調システムでは、熱動弁Ｖ８の接続部が止水栓２３１により閉鎖され、熱動弁Ｖ８に対応する戻りヘッダ２０５の接続部が止水栓２３２により閉鎖されている。
【００６６】
〔第２実施形態〕
図６はこの発明の第２実施形態の温調システムの動作を説明するためのタイミング図を示している。なお、この第２実施形態の温調システムは、熱動弁Ｖ１,Ｖ２の動作を除いて第１実施形態の温調システムと同一の構成をしており、図１を援用する。
【００６７】
図６に示すように、冷房運転において、運転信号がオンすると、冷房運転する系統の熱動弁Ｖ１,Ｖ２がオンし、熱動弁Ｖ３はオフ状態のままとする。
【００６８】
次に、運転信号のオンから所定時間Ｔ１(この実施形態では１分〜２分)後に、室外機用制御装置１２０により圧縮機１０１(図１に示す)をオンすると共に、循環ポンプ制御部２２０ｃにより循環ポンプ２０３(図１に示す)をオンする。ここで、圧縮機１０１と循環ポンプ２０３を所定時間Ｔ１遅らせるのは、熱動弁Ｖ１,Ｖ２が開状態になるまでの遅れを補正するためのものである。
【００６９】
次に、冷房運転を停止して運転信号をオフすると、室外機用制御装置１２０により圧縮機１０１と循環ポンプ２０３をオフする。
【００７０】
そして、循環ポンプ２０３のオフ時点から、冷房運転する系統の熱動弁Ｖ１,Ｖ２および冷房運転しない系統の熱動弁Ｖ３を所定時間Ｔ２(この実施形態では５分〜１０分)オン状態とする。
【００７１】
上記構成の温調システムでは、冷温水供給ユニット２００の水熱交換器２０１で生成された冷水を熱動弁Ｖ１,Ｖ２に供給する冷房運転の停止後、熱動弁制御部２２０ｂによって、冷房運転において通電していた熱動弁Ｖ１,Ｖ２および通電していなかった熱動弁Ｖ３に対して、所定時間Ｔ２通電する結露防止通電を行う。これによって、熱動弁Ｖ３と同様に、熱動弁Ｖ１,Ｖ２のヒータにより熱動弁Ｖ１,Ｖ２内を加熱して乾燥させることができ、全ての熱動弁の劣化や破損を確実に防止することができる。
【００７２】
なお、上記第２実施形態では、熱動弁Ｖ１,Ｖ２,Ｖ３の結露防止通電の時間を同じ所定時間Ｔ２としたが、冷房運転において通電していた熱動弁Ｖ１,Ｖ２の結露防止通電の時間と、通電していなかった熱動弁Ｖ３の結露防止通電の時間は異なってもよい。
【００７３】
〔第３実施形態〕
図７はこの発明の第３実施形態の温調システムの動作を説明するためのタイミング図を示している。なお、この第３実施形態の温調システムは、熱動弁制御部２２０ｂの動作を除いて第１実施形態の温調システムと同一の構成をしており、図１を援用する。
【００７４】
図７に示すように、冷房運転において、運転信号がオンすると、冷房運転する系統の熱動弁Ｖ１,Ｖ２がオンし、熱動弁Ｖ３はオフ状態のままとする。
【００７５】
次に、運転信号のオンから所定時間Ｔ１(この実施形態では１分〜２分)後に、室外機用制御装置１２０により圧縮機１０１(図１に示す)をオンすると共に、循環ポンプ制御部２２０ｃにより循環ポンプ２０３(図１に示す)をオンする。ここで、圧縮機１０１と循環ポンプ２０３を所定時間Ｔ１遅らせるのは、熱動弁Ｖ１,Ｖ２が開状態になるまでの遅れを補正するためのものである。
【００７６】
次に、冷房運転を停止して運転信号をオフすると、室外機用制御装置１２０により圧縮機１０１をオフした後、運転信号のオフから所定時間Ｔ３後に循環ポンプ制御部２２０ｃにより循環ポンプ２０３をオフする。
【００７７】
そして、循環ポンプ２０３のオフ時点から、冷房運転する系統の熱動弁Ｖ１,Ｖ２および冷房運転しない系統の熱動弁Ｖ３を所定時間Ｔ２(この実施形態では５分〜１０分)オン状態とする。なお、この熱動弁Ｖ３のオンは、循環ポンプ２０３のオフ時点よりも少し前に開始してもよい(運転信号のオフ時点以降)。
【００７８】
上記構成の温調システムでは、冷房運転の停止により圧縮機１０１と循環ポンプ２０３を停止した後に熱動弁Ｖ３に対して所定時間Ｔ２通電を行うことによって、熱動弁Ｖ３近傍の流路を冷水が流れなくなってから熱動弁Ｖ３のヒータをオンするので、冷水の影響を受けることなく熱動弁Ｖ３内を加熱でき、熱動弁Ｖ３内の温度を確実に上昇させて乾燥させることができる。
【００７９】
〔第４実施形態〕
図８はこの発明の第４実施形態の温調システムの動作を説明するためのタイミング図を示している。なお、この第４実施形態の温調システムは、熱動弁制御部２２０ｂの動作を除いて第１実施形態の温調システムと同一の構成をしており、図１を援用する。
【００８０】
図８に示すように、冷房運転において、運転信号がオンすると、冷房運転する系統の熱動弁Ｖ１,Ｖ２がオンし、熱動弁Ｖ３はオフ状態のままとする。
【００８１】
次に、運転信号のオンから所定時間Ｔ１(この実施形態では１分〜２分)後に、室外機用制御装置１２０により圧縮機１０１(図１に示す)をオンすると共に、循環ポンプ制御部２２０ｃにより循環ポンプ２０３(図１に示す)をオンする。ここで、圧縮機１０１と循環ポンプ２０３を所定時間Ｔ１遅らせるのは、熱動弁Ｖ１,Ｖ２が開状態になるまでの遅れを補正するためのものである。
【００８２】
次に、冷房運転が所定の運転時間Ｔ４(例えば６時間)継続すると、冷房運転しない系統の熱動弁Ｖ３を所定時間Ｔ２(この実施形態では５分〜１０分)オン状態とする。
【００８３】
次に、冷房運転を停止して運転信号をオフすると、室外機用制御装置１２０により圧縮機１０１をオフした後、運転信号のオフから所定時間Ｔ３後に循環ポンプ制御部２２０ｃにより循環ポンプ２０３をオフする。
【００８４】
そして、循環ポンプ２０３のオフ時点から、冷房運転する系統の熱動弁Ｖ１,Ｖ２と冷房運転しない系統の熱動弁Ｖ３を所定時間Ｔ２(この実施形態では５分〜１０分)オン状態とする。なお、この熱動弁Ｖ３のオンは、循環ポンプ２０３のオフ時点よりも前に開始してもよい(運転信号のオフ時点以降)。
【００８５】
上記構成の温調システムでは、冷房運転が所定の運転時間Ｔ４(例えば６時間)継続したとき、熱動弁制御部２２０ｂによって、冷房運転において通電していない熱動弁Ｖ３に対して結露防止通電を予め設定された時間行う。これによって、例えば２４時間連続で冷房運転するような場合であっても、熱動弁Ｖ３のヒータにより熱動弁Ｖ３内を加熱して熱動弁Ｖ３内を乾燥させることが可能になる。
【００８６】
この第４実施形態では、冷房運転中に結露防止通電により熱動弁Ｖ３に対して冷水が流れてしまうので、結露防止通電中に少し冷水が流れてもよい場合に適用するのが好ましい。
【００８７】
なお、冷房運転において通電していた熱動弁に対しても、結露防止通電を行ってもよい。
【００８８】
〔第５実施形態〕
図９はこの発明の第５実施形態の温調システムの動作を説明するためのタイミング図を示している。なお、この第５実施形態の温調システムは、熱動弁制御部２２０ｂの動作を除いて第１実施形態の温調システムと同一の構成をしており、図１を援用する。
【００８９】
図９に示すように、冷房運転において、運転信号がオンすると、冷房運転する系統の熱動弁Ｖ１,Ｖ２がオンし、熱動弁Ｖ３はオフ状態のままとする。
【００９０】
次に、運転信号のオンから所定時間Ｔ１(この実施形態では１分〜２分)後に、室外機用制御装置１２０により圧縮機１０１(図１に示す)をオンすると共に、循環ポンプ制御部２２０ｃにより循環ポンプ２０３(図１に示す)をオンする。ここで、圧縮機１０１と循環ポンプ２０３を所定時間Ｔ１遅らせるのは、熱動弁Ｖ１,Ｖ２が開状態になるまでの遅れを補正するためのものである。
【００９１】
次に、冷房運転が所定の運転時間Ｔ４(例えば６時間)継続すると、冷房運転しない系統の熱動弁Ｖ３を所定時間Ｔ２(この実施形態では５分〜１０分)オン状態とする。ここで、熱動弁Ｖ３をオン状態にしている間、圧縮機１０１と循環ポンプ２０３はオフ状態にする。なお、この熱動弁Ｖ３のオンは、圧縮機１０１と循環ポンプ２０３のオフ時点よりも少し前に開始してもよい。
【００９２】
次に、冷房運転を停止して運転信号をオフすると、室外機用制御装置１２０により圧縮機１０１をオフした後、運転信号のオフから所定時間Ｔ３後に循環ポンプ制御部２２０ｃにより循環ポンプ２０３をオフする。
【００９３】
そして、循環ポンプ２０３のオフ時点から、冷房運転する系統の熱動弁Ｖ１,Ｖ２および冷房運転しない系統の熱動弁Ｖ３を所定時間Ｔ２(この実施形態では５分〜１０分)オン状態とする。なお、この熱動弁Ｖ３のオンは、循環ポンプ２０３のオフ時点よりも前に開始してもよい(運転信号のオフ時点以降)。
【００９４】
上記構成の温調システムでは、冷房運転が所定の運転時間継続したとき、熱動弁制御部２２０ｂによって、冷房運転を一旦停止した状態で、冷房運転において通電していなかった熱動弁Ｖ３に対して所定の運転時間(例えば６時間)通電する。これによって、例えば２４時間連続で冷房運転するような場合、冷房運転を所定の運転時間(例えば６時間)毎に結露防止通電のために一旦停止して、冷水が流れない状態で熱動弁Ｖ３に対して結露防止通電をすることにより、冷水の影響を受けることなく熱動弁Ｖ３内を加熱でき、熱動弁Ｖ３内の温度を確実に上昇させて乾燥させることが可能になる。
【００９５】
なお、冷房運転において通電していた熱動弁Ｖ１,Ｖ２に対しても、結露防止通電を行ってもよい。
〔第６実施形態〕
図１０はこの発明の第６実施形態の温調システムの概略構成図を示している。なお、この第６実施形態の温調システムは、冷温水供給ユニット４００と熱動弁ユニット５００を除いて第１実施形態の温調システムと同一の構成をしており、同一構成部には同一参照番号を付している。
【００９６】
〔温調システムの全体構成〕
上記温調システムは、図１０に示すように、室外機１００と、この室外機１００に接続された冷温水供給ユニット４００と、冷温水供給ユニット４００に接続された熱動弁ユニット５００と、この熱動弁ユニット５００に接続された熱交換端末の一例としての第１〜第８床冷暖房パネルＰ１〜Ｐ８とを備える。
【００９７】
この第６実施形態の温調システムは、冷温水供給ユニット４００と熱動弁ユニット５００に分離されている点で第１実施形態の温調システムと相違する。
【００９８】
〔冷温水供給ユニット４００の構成〕
上記冷温水供給ユニット４００は、第１〜第８熱動弁Ｖ１〜Ｖ８と往きヘッダ２０４および戻りヘッダ２０５がない点を除いて冷温水供給ユニット２００と同一の構成をしている。
【００９９】
〔熱動弁ユニット５００の構成〕
また、熱動弁ユニット５００は、第１〜第８熱動弁Ｖ１〜Ｖ８を制御する熱動弁制御装置２４０と往きヘッダ２０４および戻りヘッダ２０５を有する。熱動弁制御装置２４０は、冷温水供給ユニット４００の冷温水供給ユニット用制御装置２２０と通信線を介して互いに送受信を行う。
【０１００】
上記第１〜第６実施形態では、暖房運転と冷房運転を行う温調システムについて説明したが、冷房運転のみを行う温調システムにこの発明を適用してもよい。また、冷暖房用の室内機を備えた温調システムにこの発明を適用してもよい。
【０１０１】
また、上記第１〜第６実施形態では、水温制御部２２０ａと熱動弁制御部２２０ｂおよび循環ポンプ制御部２２０ｃは、ソフトウェアで構成されていたが、水温制御部と熱動弁制御部および循環ポンプ制御部の少なくとも１つはハードウェアで構成されるようにしてもよい。
【０１０２】
また、上記第１〜第６実施形態では、冷温水供給ユニット２００の水熱交換器２０１にプレート式水熱交換器を用いたが、二重管式水熱交換器などの他の水熱交換器を用いてもよい。
【０１０３】
また、上記第１〜第６実施形態において、冷媒圧センサ２１５の代わりに、圧力スイッチを設けてもよい。
【０１０４】
また、上記第１〜第６実施形態では、室外機１００の冷媒回路に膨張機構としての電動膨張弁１０４を設けていたが、膨張機構の一例としての例えばキャピラリチューブを設けてもよい。
【０１０５】
また、上記第１〜第６実施形態において、熱交換端末としての第１〜第８床冷暖房パネルＰ１〜Ｐ８のうちの少なくとも一つを、天井冷暖房パネル、天井冷房パネル、天井暖房パネル、壁冷暖房パネル、壁冷房パネル、壁暖房パネル、または、室内設置型ラジエータなどの熱交換端末に換えてもよい。
【０１０６】
この発明の具体的な実施の形態について説明したが、この発明は上記第１〜第６実施形態に限定されるものではなく、この発明の範囲内で種々変更して実施することができる。例えば、上記第１〜第６実施形態で記載した内容を適宜組み合わせたものを、この発明の一実施形態としてもよい。
【符号の説明】
【０１０７】
１００…室外機
１０１…圧縮機
１０２…四路切換弁
１０３…室外熱交換器
１０４…電動膨張弁
１０５…アキュムレータ
１０６…第１温度センサ
１０７…第２温度センサ
１０８…第３温度センサ
１０９…第４温度センサ
１１０…室外温度センサ
１２０…室外機用制御装置
２００…冷温水供給ユニット
２０１…水熱交換器
２０２…膨張タンク
２０３…循環ポンプ
２０４…往きヘッダ
２０５…戻りヘッダ
２１１…水回路
２１２…第１水温センサ
２１３…第２水温センサ
２１４…冷媒温度センサ
２１５…冷媒圧センサ
２２０…冷温水供給ユニット用制御装置
２２０ａ…水温制御部
２２０ｂ…熱動弁制御部
２２０ｃ…循環ポンプ制御部
２４０…熱動弁制御装置
３０１〜３０８…第１〜第８水循環パイプ
４００…冷温水供給ユニット
５００…熱動弁ユニット
Ｖ１…第１熱動弁
Ｖ２…第２熱動弁
Ｖ３…第３熱動弁
Ｖ４…第４熱動弁
Ｖ５…第５熱動弁
Ｖ６…第６熱動弁
Ｖ７…第７熱動弁
Ｖ８…第８熱動弁
Ｖ９…水抜き栓
Ｐ１…第１床冷暖房パネル
Ｐ２…第２床冷暖房パネル
Ｐ３…第３床冷暖房パネル
Ｐ４…第４床冷暖房パネル
Ｐ５…第５床冷暖房パネル
Ｐ６…第６床冷暖房パネル
Ｐ７…第７床冷暖房パネル
Ｐ８…第８床冷暖房パネル
【図１】
0006384320.tif 000002
【図２】
0006384320.tif 000003
【図３】
0006384320.tif 000004
【図４】
0006384320.tif 000005
【図５】
0006384320.tif 000006
【図６】
0006384320.tif 000007
【図７】
0006384320.tif 000008
【図８】
0006384320.tif 000009
【図９】
0006384320.tif 000010
【図１０】
0006384320.tif 000011
【図１１】
0006384320.tif 000012